(57)【要約】      （修正有）【課題】洗面台のあらゆる排水経路を簡便に洗浄できるエアゾール製品の提供。【解決手段】エアゾール製品１は、エアゾール容器２と、押圧部材５と取付部材４を備えるアクチュエーター３とを有する、倒立型の噴射装置であって、噴射により洗浄剤を含む泡が形成され、噴射量が１ｍＬ／秒以上であり、泡の５０％液化時間が２０秒以上であり、泡比重が０．３ｇ／ｍＬ以下である。【選択図】図１
2020200585.tif 000002
【特許請求の範囲】
【請求項１】
噴射により洗浄剤を含む泡が形成され、
噴射量が１ｍＬ／秒以上であり、泡の５０％液化時間が２０秒以上であり、泡比重が０．３ｇ／ｍＬ以下である、洗面台の排水経路を洗浄するためのエアゾール製品。
【請求項２】
前記排水経路がオーバーフロー流路を含む、請求項１に記載のエアゾール製品。
【請求項３】
洗面台の排水経路を洗浄する方法であって、
前記排水経路がオーバーフロー流路を含み、
請求項１に記載のエアゾール製品を用いて排水口から排水路内に洗浄剤を噴射して、前記洗浄剤を含む泡を排水経路内に充満させる、洗浄方法。
【請求項４】
前記排水経路が排水トラップ以降の排水路をさらに含む、請求項３に記載の洗浄方法。
【発明の詳細な説明】
【技術分野】
【０００１】
本発明は、洗面台の排水経路を洗浄するためのエアゾール製品及び洗浄方法に関する。
【背景技術】
【０００２】
洗面台の排水経路は、石鹸カスや垢等の有機物汚れが付着しやすく、また、常に水と接触する場所であるため、ぬめりやカビ、悪臭等が発生しやすい。しかしこれらの洗浄は不快を伴い負担も大きい作業である。このため、排水経路の洗浄を簡便に行うことを目的とした各種洗浄剤が提案され、液剤、粉剤、錠剤、エアゾール等の様々な剤型が知られている（特許文献１）。
【先行技術文献】
【特許文献】
【０００３】
【特許文献１】特開２００８−１５０４６１号公報
【発明の概要】
【発明が解決しようとする課題】
【０００４】
ここで、洗面台の排水設備には、排水経路の途中を水（封水）で常に遮断しておくことで、下水道の悪臭や硫化水素などのガスを遮断したり、害虫等の屋内への侵入を防いだりするための排水トラップが設けられている。
上記従来の技術では、洗浄範囲が排水口から排水トラップ前（封水）までにとどまっていた。
【０００５】
また、洗面台には、排水口を閉じた場合に洗面器から水が溢れ出さないよう、補助的な排水口として洗面器の上部にオーバーフロー穴（満水防止穴）が設けられている。オーバーフロー穴は大きさが様々であり、オーバーフロー穴から排水路（主排水管）に接続するオーバーフロー流路は洗面台の背面に入り込んでいる。そのため、上記従来の技術ではオーバーフロー流路の洗浄までは困難であった。
【０００６】
そこで本発明は、洗面台のあらゆる排水経路を簡便に洗浄できる手段を提供することを目的とする。
【課題を解決するための手段】
【０００７】
本発明者らは鋭意検討を重ねた結果、特定の噴射量と特定の泡の液化時間、特定の泡比重を満たすエアゾール製品を用いて、排水口から排水路内に洗浄剤を噴射することで、洗浄剤を含む泡を排水経路内に充満させることができ、洗面台の排水経路を広範囲にわたり簡便に洗浄できることを見出した。
【０００８】
すなわち本発明は以下のエアゾール製品及び洗浄方法に関する。
［１］  噴射により洗浄剤を含む泡が形成され、
噴射量が１ｍＬ／秒以上であり、泡の５０％液化時間が２０秒以上であり、泡比重が０．３ｇ／ｍＬ以下である、洗面台の排水経路を洗浄するためのエアゾール製品。
［２］  前記排水経路がオーバーフロー流路を含む、［１］に記載のエアゾール製品。
［３］  洗面台の排水経路を洗浄する方法であって、
前記排水経路がオーバーフロー流路を含み、
［１］に記載のエアゾール製品を用いて排水口から排水路内に洗浄剤を噴射して、前記洗浄剤を含む泡を排水経路内に充満させる、洗浄方法。
［４］  前記排水経路が排水トラップ以降の排水路をさらに含む、［３］に記載の洗浄方法。
【発明の効果】
【０００９】
本発明のエアゾール製品及び洗浄方法によれば、洗面台の排水経路を、オーバーフロー流路を含む広範囲にわたり簡便に洗浄することができる。
【図面の簡単な説明】
【００１０】
【図１】図１は本発明のエアゾール製品の一例を示す断面図である。
【図２】図２は実施例の噴射試験を示す説明図である。
【発明を実施するための形態】
【００１１】
以下、本発明の実施形態について詳細に説明する。
＜エアゾール製品＞
本発明に係る洗面台の排水経路を洗浄するためのエアゾール製品（以下、本発明のエアゾール製品とも記載する。）は、噴射により洗浄剤を含む泡が形成され、噴射量が１ｍＬ／秒以上であり、発生する泡の５０％液化時間が２０秒以上、泡比重が０．３ｇ／ｍＬ以下である。
【００１２】
噴射量が１ｍＬ／秒以上であることで排水口より噴射した泡が封水に当たり逆流した後にオーバーフロー流路へ泡が充満する。噴射量は好ましくは２ｍＬ／秒以上であり、より好ましくは５ｍＬ／秒以上であり、さらに好ましくは７ｍＬ／秒以上である。
上記の所望の噴射量とするためには、例えば、後述するステム孔面積、噴口面積、噴射剤の種類及び圧力、噴射剤と洗浄剤原液の配合割合等を調整することが挙げられる。
【００１３】
本発明のエアゾール製品は発生する泡の５０％液化時間が２０秒以上であることで、泡の液化速度と比較して泡の起泡速度の方が高くなるため、泡の膨張が続きオーバーフロー穴まで泡が到達する。５０％液化時間とは、噴射した際に起泡した泡が破泡する速度を表す指標であり、具体的には泡の液化率が５０％になるまでの時間である。５０％液化時間に達するまでの時間が長いほど形成された泡の持続性が高いことを意味する。
５０％液化時間は次の方法により規定できる。まず、泡が破泡することでできる滞留液の質量と全吐出液の質量とから下記式により液化率を算出する。次に、任意の時間内で経時的に測定した液化率をもとに、液化率が５０％より大きい点を含むように４点以上プロット（０分を含む）して近似曲線を描き、５０％の液化率に相当する時間（５０％液化時間）を算出する。
液化率（％）＝滞留液の質量／全吐出液の質量×１００
５０％液化時間は好ましくは６０秒以上であり、より好ましくは１２０秒以上であり、さらに好ましくは１８０秒以上である。
上記の所望の液化時間とするためには、例えば、後述する洗浄剤原液の組成、噴射剤の種類、噴射剤と洗浄剤原液の配合割合等を調整することが挙げられる。
【００１４】
本発明のエアゾール製品は、発生する泡の泡比重が特定の範囲にあることが好ましい。泡比重とは、吐出した内容液が形成する泡の体積を表す指標であり、泡の質量を体積で割ることにより求められ、単位はｇ／ｍＬである。泡比重が小さいほど空気が多く、大きく粗い泡である（起泡性が大きい）ことを意味し、泡比重が大きいほど空気が少なく、小さくきめ細やかな泡である（起泡性が小さい）傾向にある。
泡比重は、液が過多でなく、泡沫（フォーム）ではなく気泡（バブル）の割合が多くなる観点から０．３ｇ／ｍＬ以下であることが好ましく、０．１ｇ／ｍＬ以下であることがより好ましく、泡の量と液の量のバランスが良好で効率よく起泡できる観点から０．０５ｇ／ｍＬ以下であることがさらに好ましく、また、気泡が粗くならない観点から０．００１ｇ／ｍＬ以上であることが好ましく、泡の量と液の量のバランスが良好で効率よく起泡できる観点から０．０１ｇ／ｍＬ以上であることがより好ましく、０．０２ｇ／ｍＬ以上であることがさらに好ましい。
【００１５】
泡比重が大きすぎると気泡（バブル）になるため、泡が破泡しやすくオーバーフロー穴まで到達しにくい。また、泡比重が小さすぎると嵩だけ大きくて泡と洗浄箇所との接触面積が減るおそれがある。泡比重が上記範囲であることで泡がオーバーフロー穴まで到達するのに十分な起泡性を有する。
上記の所望の泡比重とするためには、例えば、後述する洗浄剤原液の組成、噴射剤の種類、噴射剤と洗浄剤原液の配合割合等を調整することが挙げられる。
【００１６】
本発明のエアゾール製品の洗浄剤原液は、２５℃における粘度が１〜１００００ｍＰａ・ｓであることが好ましく、１〜５０００ｍＰａ・ｓであることがより好ましく、１〜１０００ｍＰａ・ｓであることがさらに好ましい。粘度が上記範囲であることで泡の持続性に寄与する。
上記の所望の粘度とするためには、例えば、後述する増粘剤、溶剤、界面活性剤の配合割合を調整することが挙げられる。
【００１７】
本発明のエアゾール製品は洗浄成分として、また、泡調整を目的として、洗浄剤原液中に界面活性剤を含む。界面活性剤としては、デシルグルコシド等のアルキルグルコシド、ポリオキシエチレン硬化ヒマシ油、ポリオキシエチレンアルキルアミン、ポリオキシエチレンアルキルエーテル、ポリエチレングリコール脂肪酸エステル、ポリオキシエチレングリセリン脂肪酸エステル、ポリオキシエチレンアルキルエーテル脂肪酸エステル、ポリオキシエチレンソルビタン脂肪酸エステル、ポリグリセリン脂肪酸エステル、コカミドメチルＭＥＡ等のアルキルアルカノールアミド等のノニオン界面活性剤、アルキル硫酸アミン、アルキル硫酸アンモニウム、ラウリル硫酸ナトリウム等のアルキル硫酸塩、ポリオキシエチレンアルキル硫酸塩、ポリオキシエチレンアルキル硫酸アミン、ポリオキシエチレンラウリルエーテル硫酸トリエタノールアミン等のポリオキシエチレンアルキルエーテル硫酸塩、アルキルリン酸塩、サルコシン塩、ポリオキシエチレンアルキルエーテルリン酸塩、トリデセス−４カルボン酸ナトリウム等のアルキルエーテルカルボン酸塩、スルホン酸塩等のアニオン界面活性剤、アルキルアンモニウム塩、アルキルベンジルアンモニウム塩等のカチオン界面活性剤、ドデシルアミノエチルアミノエチルグリシン等のアミノ酸型、アルキルヒドロキシスルホベタイン、ラウリルジメチルアミンオキシド等のアルキルアミンオキシド、アルキルベタイン、脂肪酸アミドプロピルベタイン、アルキルイミダゾール、ラウロイルグルタミン酸ナトリウム等の両性界面活性剤等が挙げられ、１種または２種以上を組み合わせて用いてもよい。
なかでも、起泡性の観点からアニオン界面活性剤が好ましい。
【００１８】
界面活性剤は洗浄剤原液中に好ましくは０．１〜２０質量％、より好ましくは０．５〜１０質量％含まれる。含有量がかかる範囲であることで所望の泡比重を実現することができる。
また、ノニオン界面活性剤の含有量は、好ましくは０．１〜２０質量％、より好ましくは０．３〜１０質量％である。アニオン界面活性剤の含有量は、好ましくは０．１〜２０質量％、より好ましくは０．３〜１０質量％である。カチオン界面活性剤の含有量は、好ましくは０．０１〜２０質量％、より好ましくは０．１〜１０質量％である。両性界面活性剤の含有量は、好ましくは０．０１〜２０質量％、より好ましくは０．１〜１０質量％である。
【００１９】
本発明のエアゾール製品はさらに洗浄剤原液中に増粘剤を含むことが好ましい。増粘剤は、泡の持続性の向上ならびに洗浄剤に適度な粘性を与えて排水口および排水管内に到達し、かつ、付着することにより洗浄効果を上げる目的で配合される。増粘剤としては、キサンタンガム等の合成高分子多糖類、天然高分子多糖類、ヒドロキシエチルセルロース、カルボキシメチルセルロース等のセルロース類、ベントナイト等の粘土鉱物、カチオン化グアガム等の半合成高分子、ポリビニルピロリドンなどの合成高分子、アルギン酸ナトリウム塩、アルギン酸エステル、ポリエチレングリコール、ポリプロピレングリコール等が挙げられ、１種または２種以上を組み合わせて用いてもよい。中でもキサンタンガム、ヒドロキシエチルセルロースが好ましい。
【００２０】
増粘剤は洗浄剤原液中に好ましくは０．０１〜１５質量％、より好ましくは０．０５〜５質量％含まれる。含有量がかかる範囲であることで適度な粘性を得ることができる。
【００２１】
本発明のエアゾール製品はさらに配合成分の溶解性の観点から洗浄剤原液中に溶剤を含むことが好ましい。溶剤としては、水、エタノール、イソプロパノール、エチレングリコール、プロピレングリコール、１，３−ブチレングリコール、ヘキシレングリコール、ジエチレングリコール、ジプロピレングリコール、グリセリン等が挙げられ、１種または２種以上を組み合わせて用いてもよい。中でも水、エタノールが好ましい。
【００２２】
溶剤は洗浄剤原液中に好ましくは１〜５０質量％、より好ましくは５〜３０質量％含まれる。含有量がかかる範囲であることで配合成分の溶解性の向上と適切な泡の起泡性・保持性を得ることができる。
【００２３】
本発明のエアゾール製品はまた、混合物の好適な泡比重、泡の起泡性・保持性を実現するため、洗浄剤原液中に適度な消泡（破泡）作用を有する成分を配合してもよい。当該適度な消泡（破泡）作用を有する成分としては、シリコーン系消泡剤、エステル系消泡剤、エーテル系消泡剤、ポリアルキレンオキシド系消泡剤、アルキルリン酸エステル系消泡剤、及びアセチレングリコール系消泡剤、アルコール系消泡剤、鉱油系消泡剤、植物油系消泡剤、合成油系消泡剤、シリカ、油溶性香料、金属石鹸等が挙げられ、１種または２種以上を組み合わせて用いてもよい。
消泡（破泡）性成分の洗浄剤原液中の配合量は０．０１〜１０質量％が好ましく、０．０１〜５質量％がより好ましい。
なお、消泡（破泡）性成分の中には、アルコールなど、溶剤としての機能を兼ね備える場合もある。その場合、含有量は溶剤成分としての含有量に含めるものとする。
【００２４】
本発明のエアゾール製品の洗浄剤原液には、上記成分の他にも、チャ、カキ、ツバキ、タケ、グレープフルーツ、ユズ、ミカン、レモン等の各種植物抽出物、銀や銅等の金属化合物、そのイオン等の消臭・防臭剤、イソプロピルメチルフェノール、塩化ベンザルコニウム、塩化ベンゼトニウム、銀や銅等の金属化合物、そのイオン等の抗菌・殺菌剤、ピレスロイド等の殺虫剤、ピリプロキシフェン等の昆虫成長制御剤、フッ素系界面活性剤、ポリエーテル変性シリコーン等の被膜形成剤、クエン酸等の防錆剤、ＢＨＡ、ＢＨＴ等の酸化防止剤、フローラル、ブーケ、シトラス、ソープ等の香料等を配合してもよい。
【００２５】
本発明のエアゾール製品は、上記成分を含む洗浄剤原液と噴射剤とを、噴射装置を備えたエアゾール缶に充填することで製造できる。
噴射剤としては、例えば、プロパン、ｎ−ブタン、イソブタン等の液化石油ガス（ＬＰＧ）、ジメチルエーテル（ＤＭＥ）等の液化ガス、窒素、炭酸ガス、圧縮空気、亜酸化窒素等の圧縮ガス、１，１−ジフルオロエタン（ＨＦＣ−１５２ａ）、１，１，１，２−テトラフルオロエタン（ＨＦＣ−１３４ａ）、２，３，３，３−テトラフルオロプロペン（ＨＦＯ−１２３４ｙｆ）、トランス−１，３，３，３−テトラフルオロプロペン（ＨＦＯ−１２３４ｚｅ）等のハロゲン化炭素ガスの１種又は２種以上を用いることができる。
これらの中でも、泡の起泡性・持続性の観点から、ＬＰＧ、ジメチルエーテル、ＨＦＯ−１２３４ｚｅが好ましく、ＬＰＧ、ＨＦＯ−１２３４ｚｅがさらに好ましい。
また噴射剤としてＬＰＧを用いる場合、ＬＰＧの圧力としては、封水の奥まで内容液を到達させる観点から、０．２〜０．５ＭＰａ／２５℃が好ましく、０．３〜０．５ＭＰａ／２５℃がより好ましい。
【００２６】
エアゾール缶内における洗浄剤原液と噴射剤の割合は、噴射力と泡質の観点から、容積比で好ましくは原液：噴射剤＝５０：５０〜９９：１、より好ましくは７０：３０〜９５：５、さらに好ましくは８０：２０〜９０：１０とする。
【００２７】
本発明の洗面台の排水経路洗浄用エアゾール製品としては、特に限定されないが、例えば、図１に示すようなものが挙げられる。
図１に示すように、エアゾール製品１は、エアゾール容器２と、押圧部材５と取付部材４を備えるアクチュエーター３とを有する、倒立型の噴射装置である。使用時は、図２に示すようにエアゾール製品１を倒立させて押圧部材５を排水口１２を塞ぐように密着させ、エアゾール容器２を排水口方向に押すことによりアクチュエーター３が押し下げられて、ステム孔６が開放され、噴口７から洗浄剤（図示せず）が噴射される。
【００２８】
本発明のエアゾール製品の噴射装置としては、噴口、孔数１〜３のステム孔のバルブを備えたものがよい。ベーパータップはあってもなくてもよい。好ましくは倒立型の噴射装置であり、かつ、噴口の向きはエアゾール本体の軸方向であることが好ましい。
噴口は円形状でも四角形状でもよく、面積として好ましくは０．００５〜２５ｍｍ２、より好ましくは０．１０〜１０ｍｍ２である。また、円形状の場合は直径が好ましくは０．１〜５ｍｍ、より好ましくは０．５〜３ｍｍである。
ステム孔は円形状でも四角形状でもよく、面積としては好ましくは０．０１〜５ｍｍ２、より好ましくは０．０５〜４ｍｍ２である。また、円形状の場合は直径が好ましくは０．３〜１．２ｍｍ、より好ましくは０．６〜１．２ｍｍである。四角形状の場合は、０．１〜１．５ｍｍ×０．１〜１．５ｍｍの大きさであることが好ましい。
噴口面積とステム面積の比（噴口面積／ステム面積）は、好ましくは０．０１〜５００、より好ましくは０．０５〜５０、さらに好ましくは０.１〜２０である。
上記噴射装置を用いて、上記所望の噴射量が得られるようにする。
【００２９】
＜洗浄方法＞
洗面台の排水経路を洗浄するに際しては、本発明のエアゾール製品を用いて、排水口から排水路内に洗浄剤を１〜１０秒程度噴射して、所定の時間、好ましくは５分以上、より好ましくは１０〜３０分程度放置すればよい。噴射により洗浄剤を含む泡が形成され、洗浄剤を含む泡が排水経路内に充満されることで、排水経路内を洗浄することができる。このとき、エアゾール製品の噴射口を排水口に密着させながら噴射すると、泡状の洗浄剤が排水口からあふれ出ることなく排水路内に噴射されるため好ましい。
【００３０】
本発明の洗浄方法によれば、エアゾール製品の噴射量と泡の５０％液化時間、泡比重を制御することで、勢いよく噴射された洗浄剤が排水トラップの封水に到達し、濃密な泡が形成されて、排水口から排水トラップ前（封水の前）までの排水路だけでなく、洗面器のオーバーフロー穴から排水路に接続するオーバーフロー流路、さらに、排水トラップ以降の排水路、すなわち、排水トラップ内及び排水トラップより下流側の排水路も、泡で満たすことができ、これらの排水経路を同時に洗浄することができる。
また、エアゾール製品の噴射量と泡の５０％液化時間、泡比重を調整することで、封水に到達した泡がオーバーフロー流路と排水トラップ以降のいずれか一方に偏って広がることを制御することができる。
なお、排水トラップの形状は特に制限されず、Ｓ字型、Ｐ字型等の各種形状の排水トラップが適用される。
【実施例】
【００３１】
以下、実施例により本発明を更に説明するが、本発明は下記例に何ら制限されるものではない。
〔実施例１〜１５〕
下記表１に示す組成の洗浄剤原液と、表２〜表３に示す噴射剤とを、表２〜表３に示す割合で混合して、容器に２００ｍＬ充填した洗浄用エアゾール製品を調製し試験に用いた。
なお、噴射装置は、表２〜表３に示すステム径及びステム孔数、噴口径１ｍｍのストレート噴口を備えた、倒立型エアゾール装置を用いた。
図２に噴射試験の様子を示す。
洗面台１０として、排水口１２：直径２５ｍｍ、排水路（主排水路）１３：内径２５ｍｍ、排水口１２から封水１４までの長さ：２４０ｍｍ、オーバーフロー流路１６：内径２５ｍｍ、長さ２９０ｍｍ、排水トラップ１７（Ｓ字型）：長さ５２５ｍｍのものを用いた。洗面器、排水管は透明な樹脂素材製である。
エアゾール製品１の押圧部材５を排水口１２に密着させ、洗浄剤を６０秒間噴射した。ただし、６０秒間以内にオーバーフロー穴まで泡が到達した場合、その時点で噴射を終了した。また、６０秒間噴射してもオーバーフロー穴に泡が到達しなかった場合、その時点で噴射を終了した。
【００３２】
液化率および５０％液化時間は下記方法により評価した。
計量容器（３０ｍＬ円錐型液量計）に本品を約２ｇ吐出し、破泡速度の大きいものは３０秒ごとに、破泡速度の小さいものは２分ごと（６分以降は３分ごと）に底部に滞留した液を採取し、滞留液採取前の全吐出液の質量と採取した滞留液の質量を測定し、下記の式にて液化率を算出した。
液化率（％）＝滞留液の質量／全吐出液の質量×１００
次に、任意の時間内で経時的に測定した液化率をもとに、液化率が５０％より大きくなる点を含むように４点以上プロット（０分を含む）して近似曲線を描き、５０％の液化率に相当する時間（５０％液化時間）を算出した。
【００３３】
泡比重は下記方法により評価した。
計量容器（３０ｍＬ円錐型液量計）に本品を約１ｇ吐出し、起泡した泡の最大体積を測定し、下記の式にて算出した。
泡比重（ｇ／ｍＬ）＝泡の質量／泡の最大体積
【００３４】
試験結果は下記により評価した。
◎：オーバーフロー穴及び封水の先まで泡が到達した
○：オーバーフロー穴まで泡が到達し、封水の先には到達しなかった
×：オーバーフロー穴及び封水の先のいずれにも泡が到達しなかった
表２〜表３に、噴射量、液化時間、泡比重、噴射試験の結果を示す。
【００３５】
【表１】
2020200585.tif 000003
【００３６】
【表２】
2020200585.tif 000004
【００３７】
【表３】
2020200585.tif 000005
【００３８】
上記結果より、噴射量、５０％液化時間、泡比重を適切に制御した本発明の排水経路洗浄用エアゾール製品であれば、オーバーフロー流路を含む排水経路を広範囲に渡り簡便に洗浄できることが分かる。
【００３９】
〔実施例１６〕
実施例１２と同様の処方のエアゾール製品を用い、実際の洗面台の排水口から排水管内に洗浄剤を噴射したところ、オーバーフロー穴から洗浄剤を含む泡と汚れが出てくることが確認された。したがって、本発明のエアゾール製品によれば、オーバーフロー流路内の汚れがしっかりと洗浄されていることを使用者が視認できることが分かる。
【符号の説明】
【００４０】
１  エアゾール製品
２  エアゾール容器
３  アクチュエーター
４  取付部材
５  押圧部材
６  ステム孔
７  噴口
１０  洗面台
１１  洗面器
１２  排水口
１３  排水路（主排水路）
１４  封水
１５  オーバーフロー穴
１６  オーバーフロー流路
１７  排水トラップ
【図１】
2020200585.tif 000006
【図２】
2020200585.tif 000007